(57)【要約】【課題】  ディスプレイ装置及び電子機器において、カバー部材の交換をせずに、多彩な視覚的効果を得ること。【解決手段】  第１の光源２と、該第１の光源２を光入射面である端面３ａに配し第１の光源２から入射され導光した光を光路変換して主面側から面状に出射する第１の導光板３と、第２の光源４と、第１の導光板３の上方に配され、第２の光源４を光入射面である端面５ａに配し第２の光源４から入射され導光した光を光路変換して主面側から面状に出射する第２の導光板５と、第１の導光板３と第２の導光板５との間に配され一部に所定形状の孔部、透明部又は半透明部であるシート光透過領域６ａを有する遮光シート６と、を備えている。【選択図】  図２
2010072590.tif 000002
【特許請求の範囲】
【請求項１】
第１の光源と、
該第１の光源を光入射面である端面に配し前記第１の光源から入射され導光した光を光路変換して主面側から面状に出射する第１の導光板と、
第２の光源と、
前記第１の導光板の上方に配され、前記第２の光源を光入射面である端面に配し前記第２の光源から入射され導光した光を光路変換して主面側から面状に出射する第２の導光板と、
前記第１の導光板と前記第２の導光板との間に配され一部に所定形状の孔部、透明部又は半透明部であるシート光透過領域を有する遮光シートと、を備えていることを特徴とするディスプレイ装置。
【請求項２】
請求項１に記載のディスプレイ装置において、
前記第２の導光板の上面を覆っていると共に、前記シート光透過領域の直上を含む少なくとも一部が透明又は半透明なカバー光透過領域を有する外側カバー部材を備えていることを特徴とするディスプレイ装置。
【請求項３】
請求項１又は２に記載のディスプレイ装置において、
前記遮光シートの前記シート光透過領域以外の上面が、反射面とされていることを特徴とするディスプレイ装置。
【請求項４】
請求項１から３のいずれか一項に記載のディスプレイ装置において、
前記第１の導光板及び前記第２の導光板の少なくとも一方が、孔又はスリットで複数に分割された導光エリアを有し、
前記第１の光源及び前記第２の光源の少なくとも一方が、前記導光エリア毎に対応して前記端面に複数配されていると共に、前記導光エリア毎に輝度又は発光色を設定可能であることを特徴とするディスプレイ装置。
【請求項５】
請求項１から４のいずれか一項に記載のディスプレイ装置において、
前記シート光透過領域を変更可能な光透過領域変更機構を備えていることを特徴とするディスプレイ装置。
【請求項６】
請求項５に記載のディスプレイ装置において、
前記光透過領域変更機構が、前記遮光シートの両端側が巻回された一対のローラと、
これらローラを回転駆動する駆動部と、を備えていることを特徴とするディスプレイ装置。
【請求項７】
請求項１から６のいずれか一項に記載のディスプレイ装置を備えていることを特徴とする電子機器。
【請求項８】
折り畳み可能な筐体の外側に前記ディスプレイ装置を備えた携帯電話機であることを特徴とする請求項７に記載の電子機器。
【発明の詳細な説明】
【技術分野】
【０００１】
本発明は、例えば携帯電話機の背面イルミネーション等の視覚的効果を向上させることができるディスプレイ装置及び電子機器に関する。
【背景技術】
【０００２】
携帯電話機等では、折り畳み可能な筐体を備えたものが多い。このような携帯電話機では、筐体の内側に設けられたメインの液晶表示装置だけでなく、筐体の外側にもデザイン性向上や遊び用途等のため、ＬＥＤ光源や液晶表示パネル又は有機ＥＬパネル等の簡易的なディスプレイ装置が搭載されて背面照明や情報表示等を行う機器が普及している。
【０００３】
従来、例えば特許文献１には、筐体の外側であって面発光部材上に一部が透明又は半透明なパネル部材が着脱可能に装着された二つ折り型の携帯端末装置が提案されている。この携帯端末装置では、面発光部上に設置されたパネル部材を面発光部で照明することで、該パネル部材に施された透明又は半透明な図柄が発光表示されるものである。
【０００４】
【特許文献１】特開２００４−８０３９１号公報（特許請求の範囲、図７）
【発明の開示】
【発明が解決しようとする課題】
【０００５】
しかしながら、上記従来の技術には、以下の課題が残されている。
上記特許文献１に記載の技術では、パネル部材の交換をしなければ発光表示の内容を変更することができないという不都合があった。このため、一つのパネル部材だけではイルミネーションパターンが一つに限られてしまい、別のパターンによる視覚的効果を得ることができない。また、近年、特に携帯電話機等の背面イルミネーションについて、より多彩な視覚的効果を用いてさらにデザイン性を向上させることが要望されている。さらに、カバー部材であるパネル部材を交換のために取り外すと内部に配された導光板等の発光部構造があらわになって直接利用者の目に触れてしまうという不都合があった。
【０００６】
本発明は、前述の課題に鑑みてなされたもので、カバー部材の交換をせずに、多彩な視覚的効果を得ることができるディスプレイ装置及び電子機器を提供することを目的とする。
【課題を解決するための手段】
【０００７】
本発明は、前記課題を解決するために以下の構成を採用した。すなわち、本発明のディスプレイ装置は、第１の光源と、該第１の光源を光入射面である端面に配し前記第１の光源から入射され導光した光を光路変換して主面側から面状に出射する第１の導光板と、第２の光源と、前記第１の導光板の上方に配され、前記第２の光源を光入射面である端面に配し前記第２の光源から入射され導光した光を光路変換して主面側から面状に出射する第２の導光板と、前記第１の導光板と前記第２の導光板との間に配され一部に所定形状の孔部、透明部又は半透明部であるシート光透過領域を有する遮光シートと、を備えていることを特徴とする。
【０００８】
このディスプレイ装置では、第１の導光板と第２の導光板との間に配され一部に所定形状の孔部、透明部又は半透明部であるシート光透過領域を有する遮光シートを備えているので、第１の導光板を光らせたときと、第２の導光板を光らせたときと、さらに第１の導光板及び第２の導光板の両方を光らせたときとで、カバー部材の交換をせずに、少なくとも３種類のイルミネーションパターンで高い視覚的効果を得ることができる。すなわち、第１の光源を駆動して第１の導光板のみを光らせると、遮光シートのシート光透過領域を透過した光が第２の導光板も透過して主面側に出射され、シート光透過領域の形状のまま光が上方に絵柄等として表示される。また、第２の光源を駆動して第２の導光板のみを光らせると、第２の導光板の主面全体が面発光される。さらに、第１の光源及び第２の光源を駆動して第１の導光板及び第２の導光板の両方を光らせると、シート光透過領域の形状の光と第２の導光板による面発光とを合わせたイルミネーションパターンで発光させることが可能になる。なお、第１の光源と第２の光源とを異なる色の光で発光させることで、より多様なイルミネーションを得ることも可能である。
【０００９】
また、本発明のディスプレイ装置は、前記第２の導光板の上面を覆っていると共に、前記シート光透過領域の直上を含む少なくとも一部が透明又は半透明なカバー光透過領域を有する外側カバー部材を備えていることを特徴とする。すなわち、このディスプレイ装置では、シート光透過領域の直上を含む少なくとも一部が透明又は半透明なカバー光透過領域を有する外側カバー部材を備えているので、第１の導光板を光らせたときは、シート光透過領域及び第２の導光板を介して外側カバー部材が照明されてカバー光透過領域にシート光透過領域の形状を浮かび上がらせることができる。また、第２の導光板を光らせると外側カバー部材のカバー光透過領域全体を光らせてカバー光透過領域に施された絵柄等を浮かび上がらせることができる。さらに、第１の導光板及び第２の導光板の両方を光らせると、シート光透過領域の形状とカバー光透過領域に施された絵柄等との両方をカバー光透過領域に浮かび上がらせることができる。
【００１０】
また、本発明のディスプレイ装置は、前記遮光シートの前記シート光透過領域以外の上面が、反射面とされていることを特徴とする。すなわち、このディスプレイ装置では、遮光シートのシート光透過領域以外の上面が、反射面とされているので、第２の導光板を光らせた際に、第２の導光板から遮光シート側に出射された光を遮光シートで反射して戻すことで第２の導光板の高い輝度を得ることができる。
【００１１】
また、本発明のディスプレイ装置は、前記第１の導光板及び前記第２の導光板の少なくとも一方が、孔又はスリットで複数に分割された導光エリアを有し、前記第１の光源及び前記第２の光源の少なくとも一方が、前記導光エリア毎に対応して前記端面に複数配されていると共に、前記導光エリア毎に輝度又は発光色を設定可能であることを特徴とする。すなわち、このディスプレイ装置では、第１の光源及び第２の光源の少なくとも一方が、対応する第１の導光板又は第２の導光板の端面に導光エリア毎に対応して複数配されていると共に導光エリア毎に輝度又は発光色を設定可能であるので、導光エリア毎に異なる輝度や発光色で面発光表示させることができ、より多彩な視覚的効果が得られる。
【００１２】
また、本発明のディスプレイ装置は、前記シート光透過領域を変更可能な光透過領域変更機構を備えていることを特徴とする。すなわち、このディスプレイ装置では、シート光透過領域を変更可能な光透過領域変更機構を備えているので、光透過領域変更機構によってシート光透過領域を切り替えることで第２の導光板の上方に発光表示するシート光透過領域によるイルミネーションパターンを変更することができる。
【００１３】
さらに、本発明のディスプレイ装置は、前記光透過領域変更機構が、前記遮光シートの両端側が巻回された一対のローラと、これらローラを回転駆動する駆動部と、を備えていることを特徴とする。すなわち、このディスプレイ装置では、駆動部により一対のローラを回転駆動して、第１の導光板上に配されている遮光シートの部分を一方のローラに巻き取ると共に他方のローラに巻回されている遮光シートの部分を第１の導光板上まで移動させることで、第１の導光板上に配されるシート光透過領域を容易に変更することができる。
【００１４】
本発明の電子機器は、上記本発明のディスプレイ装置を備えていることを特徴とする。すなわち、この電子機器では、複数のイルミネーションパターンを有する本発明のディスプレイ装置を備えているので、機器の使用者に対して多彩な視覚的効果により良好な美観を起こさせることができる。
【００１５】
また、本発明の電子機器は、折り畳み可能な筐体の外側に前記ディスプレイ装置を備えた携帯電話機であることを特徴とする。折り畳み可能な筐体の外側に上記本発明のディスプレイ装置を備えた携帯電話機であるので、折り畳んだ状態でも受信等の電話機の状況に応じて異なるイルミネーションパターンで筐体の外側に発光表示を行うことが可能になる。
【発明の効果】
【００１６】
本発明によれば、以下の効果を奏する。
すなわち、本発明に係るディスプレイ装置によれば、第１の導光板と第２の導光板との間に配され一部に所定形状の孔部、透明部又は半透明部であるシート光透過領域を有する遮光シートを備えているので、カバー部材の交換をせずに、少なくとも３種類のイルミネーションパターンで高い視覚的効果を得ることができる。
したがって、本発明のディスプレイ装置を備えた携帯電話機等の電子機器では、第１の導光板、遮光シート及び第２の導光板の組み合わせによる多彩な視覚的効果で、高いデザイン性を得ることができると共に、機器の使用者に対して、より良好な美観を起こさせることができる。
【発明を実施するための最良の形態】
【００１７】
以下、本発明に係るディスプレイ装置及び電子機器の第１実施形態を、図１から図４に基づいて説明する。なお、以下の説明に用いる各図面では、各部材を認識可能な大きさとするために縮尺を適宜変更している。
【００１８】
本実施形態におけるディスプレイ装置１は、図１及び図２に示すように、ＬＥＤ光源である複数の第１の光源２と、これら第１の光源２を光入射面である端面３ａに配し第１の光源２から入射され導光した光を光路変換して主面側から面状に出射する第１の導光板３と、ＬＥＤ光源である複数の第２の光源４と、第１の導光板３の上方に配され、第２の光源４を光入射面である端面５ａに配し第２の光源４から入射され導光した光を光路変換して主面側から面状に出射する第２の導光板５と、第１の導光板３と第２の導光板５との間に配され一部に所定形状の孔部、透明部又は半透明部であるシート光透過領域６ａを有する遮光シート６と、第２の導光板５の上面を覆っていると共に、シート光透過領域６ａの直上を含む少なくとも一部が透明又は半透明なカバー光透過領域７ａを有する外側カバー部材７と、第１の光源２と第２の光源４との発光を駆動制御する光源制御部８と、を備えている。
【００１９】
また、本実施形態のディスプレイ装置１を備えた電子機器は、図３及び図４に示すように、折り畳み型の携帯電話機（電子機器）９であって、携帯電話機９の筐体１０の外側にディスプレイ装置１の表示面が配されている。
なお、本実施形態では、ディスプレイ装置１の表示面側を上面側として記載している。
【００２０】
上記第２の導光板５の下面には、両面テープ１１を介して反射シート１２が接着固定されている。また、第１の導光板３、遮光シート６及び第２の導光板５は、互いに両面テープ１１で接着固定されている。
上記複数の第１の光源２及び第２の光源４は、フレキシブルプリント基板（図示略）に実装されて設置されている。
また、上記第１の光源２及び第２の光源４は、フレキシブルプリント基板を介して光源制御部８に電気的に接続されている。
【００２１】
第１の光源２及び第２の光源４は、例えば第１の導光板３及び第２の導光板５の入射面である端面３ａ，５ａに向けて光を出射可能な側面発光型の白色ＬＥＤである。
これらの白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００２２】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００２３】
第１の光源２と第２の光源４とは、互いに異なる端面側に配されている。すなわち、第１の光源２が配される第１の導光板３の端面３ａと第２の光源４が配される第２の導光板５の端面５ａとは、互い反対側に配置される。これにより、第１の光源２と第２の光源４とが互いに干渉せず、全体として薄型化することが可能である。
【００２４】
上記第１の導光板３及び第２の導光板５は、例えば透光性の樹脂材料で構成されその端面３ａ，５ａから入射された第１の光源２又は第２の光源４からの光を導光すると共に光路変換してその主面（本実施形態では上面）から上方に向けて面状の照明光を出射する薄板状又はシート状の薄型導光板である。
なお、これら第１の導光板３及び第２の導光板５の表面には、凸状ドットやプリズム等の光路変換を行う複数の微細光学形状を形成しても構わない。
【００２５】
上記遮光シート６には、上述したようにシート光透過領域６ａが形成されており、例えば本実施形態では円形状及び星形状の切り抜き孔である複数のシート光透過領域６ａが形成されている。
この遮光シート６は、シート光透過領域６ａ以外の上面が反射面とされた反射シートである。なお、遮光シート６の下面も反射面になっていても構わない。この遮光シート６及び反射シート１２は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。
【００２６】
上記外側カバー部材７は、例えば透光性の樹脂材料で構成されており、筐体１０の外側窓部に嵌め込まれている。また、本実施形態の外側カバー部材７は、全体がカバー光透過領域７ａとなっており、カバー光透過領域７ａの表面又は裏面に絵柄Ｅが印刷等により施されている。
【００２７】
上記光源制御部８は、第１の光源２を点灯させて第１の導光板３によってシート光透過領域６ａを浮かび上がらせる場合と第２の光源４を点灯させて第２の導光板５によって面発光させる場合とが、携帯電話機９の状態や操作に応じて設定されている。例えば、携帯電話機９の特定のボタンを押した場合は、図３に示すように、第２の光源４を点灯させて第２の導光板５を面発光させてカバー光透過領域７ａに絵柄Ｅを表示させる。すなわち、第２の光源４を駆動して第２の導光板５のみを光らせると、第２の導光板５の主面全体が面発光されてカバー光透過領域７ａに施された絵柄Ｅが照明されて浮かび上がる。
【００２８】
また、別の特定のボタンを押した場合は、図４に示すように、円形及び星形の絵柄が光るようにシート光透過領域６ａをカバー光透過領域７ａに浮かび上がらせる制御を行う。すなわち、第１の光源２を駆動して第１の導光板３のみを光らせると、遮光シート６のシート光透過領域６ａを透過した光が第２の導光板５も透過して外側カバー部材７側に出射され、シート光透過領域６ａの形状が絵柄となって上方のカバー光透過領域７ａに表示される。
【００２９】
さらに、別の特定のボタンを押した場合は、第１の光源２と第２の光源４との両方を点灯させて絵柄Ｅ及びシート光透過領域６ａによる絵柄の両方をカバー光透過領域７ａに表示させる制御を行う。すなわち、第１の光源２及び第２の光源４を駆動して第１の導光板３及び第２の導光板５の両方を光らせると、シート光透過領域６ａの形状による絵柄と第２の導光板５による面発光で浮き上がらせた絵柄Ｅとを合わせたイルミネーションパターンで発光表示させることが可能になる。
【００３０】
また、携帯電話機９が待ち受け状態のときには、第１の光源２のみを点灯するように制御を行い、着信があった場合に、第２の光源４が点滅を繰り返すように制御を行っても構わない。
なお、第１の光源２と第２の光源４とで互いに異なる発光色のＬＥＤを採用しても構わない。この場合、第１の光源２と第２の光源４とで互いに異なる色の光で発光させることで、より多様なイルミネーションを得ることも可能である。例えば、第１の光源２と第２の光源４との両方を同時発光させることで、混色光によるイルミネーションも可能である。
【００３１】
このように、光源制御部８は、マニュアル操作又は携帯電話機９の状態に応じて、シート光透過領域６ａの特定形状イルミネーションと、第２の導光板５による面発光イルミネーションと、両者によるイルミネーションと、の３種類のパターンを選択して表示させる制御を行う。
【００３２】
このように本実施形態のディスプレイ装置１では、第１の導光板３と第２の導光板５との間に配され一部に所定形状の孔部、透明部又は半透明部であるシート光透過領域６ａを有する遮光シート６を備えているので、第１の導光板３を光らせたときと、第２の導光板５を光らせたときと、さらに第１の導光板３及び第２の導光板５の両方を光らせたときとで、カバー部材の交換をせずに、少なくとも３種類のイルミネーションパターンで高い視覚的効果を得ることができる。
【００３３】
また、シート光透過領域６ａの直上を含む少なくとも一部が透明又は半透明なカバー光透過領域７ａを有する外側カバー部材７を備えているので、第１の導光板３を光らせたときは、シート光透過領域６ａ及び第２の導光板５を介して外側カバー部材７が照明されてカバー光透過領域７ａにシート光透過領域６ａの形状による絵柄等を浮かび上がらせることができる。また、第２の導光板５を光らせると外側カバー部材７のカバー光透過領域７ａ全体を光らせてカバー光透過領域７ａに施された絵柄Ｅを浮かび上がらせることができる。さらに、第１の導光板３及び第２の導光板５の両方を光らせると、シート光透過領域６ａの形状による絵柄とカバー光透過領域７ａに施された絵柄Ｅとの両方をカバー光透過領域７ａに浮かび上がらせることができる。
【００３４】
また、遮光シート６のシート光透過領域６ａ以外の上面が、反射面とされているので、第２の導光板５を光らせた際に、第２の導光板５から遮光シート６側に出射された光を遮光シート６で反射して戻すことで、第２の導光板５の高い輝度を得ることができる。
【００３５】
したがって、このディスプレイ装置１を備えた携帯電話機９では、折り畳んだ状態でも受信等の電話機の状況に応じて異なるイルミネーションパターンで筐体１０の外側に発光表示を行うことが可能になる。
【００３６】
次に、本発明に係るディスプレイ装置及び電子機器の第２及び第３実施形態について、図５から図９を参照して以下に説明する。なお、以下の各実施形態の説明において、上記実施形態において説明した同一の構成要素には同一の符号を付し、その説明は省略する。
【００３７】
第２実施形態と第１実施形態との異なる点は、第１実施形態では、第２の光源４を点灯させた際に第２の導光板５全体を同様に光らせているのに対し、第２実施形態のディスプレイ装置２１及び携帯電話機２９では、図５から図８に示すように、第２の導光板２５が、複数の長孔２５ａで複数に分割された導光エリア２５ｂを有し、第２の光源２４が、導光エリア２５ｂ毎に対応して端面２５ａに複数配されていると共に、光源制御部８によって導光エリア２５ｂ毎に輝度又は発光色を設定可能である点である。
【００３８】
また、第２実施形態では、第２の光源２４にＲＧＢ−ＬＥＤを採用し、あらゆる色の光を出射させて導光エリア２５ｂ毎に面発光させることが可能である。例えば、ＲＧＢ−ＬＥＤとして、一つのパッケージに赤色ＬＥＤ素子（Ｒ）、緑色ＬＥＤ素子（Ｇ）及び青色ＬＥＤ素子（Ｂ）を実装したＬＥＤを第２の光源２４としても構わない。この場合、各ＬＥＤにおいて印加電流を制御することで、様々な色で発光させることが可能になる。
【００３９】
また、第１の光源２もＲＧＢ−ＬＥＤを採用することで、あらゆる色の光でシート光透過領域６ａの形状による絵柄等をカバー光透過領域７ａに浮かび上がらせることが可能である。
なお、図５では、第２の導光板２５を、簡略的に図示して４つの導光エリア２５ｂに分割しているが、携帯電話機２９に搭載した際の第２の導光板２５では、図７に示すように、７つの導光エリア２５ｂに分割している。
【００４０】
第２実施形態では、光源制御部８により、図７に示すように、例えば７つの導光エリア２５ｂ毎に対応する第２の光源２４の発光色を変え、各導光エリア２５ｂで互いに異なる色の面発光を行い第２の導光板２５を七色発光させると同時に、第１の光源２を白色光で点灯させてシート光透過領域６ａを光らせるイルミネーションのモード（七色モード）で表示するように制御する。
【００４１】
また、別のモードとして、光源制御部８により、図８に示すように、第１の光源２を全て白色光で発光させると同時に、第２の光源２４は点灯させないイルミネーションのモード（白色モード）で表示するように制御しても構わない。
このように光源制御部８は、携帯電話機２９の操作や受信状況等に応じて、七色モードと白色モードとのいずれかを選択して第１の光源２及び第２の光源２４を駆動制御する。
【００４２】
なお、上記長孔２５ａの代わりに複数のスリットを設けて、各スリットで第２の導光板２５を複数の導光エリア２５ｂに分けても構わない。
また、第２実施形態の外側カバー部材２７には、特に絵柄等を施していないが、第１実施形態と同様に、絵柄等を施しても構わない。
【００４３】
このように第２実施形態のディスプレイ装置２１では、第２の光源４が、第２の導光板２５の端面２５ａに導光エリア２５ｂ毎に対応して複数配されていると共に導光エリア２５ｂ毎に輝度又は発光色を設定可能であるので、導光エリア２５ｂ毎に異なる輝度や発光色で面発光表示させることができ、より多彩な視覚的効果が得られる。したがって、このディスプレイ装置２１によれば、異なるエリアや絵柄を別々の色とタイミングとで光らせることができる。
【００４４】
第３実施形態と第１実施形態との異なる点は、第１実施形態では、遮光シート６が第１の導光板３と第２の導光板５との間に固定されていてシート光透過領域６ａの形状等を変更することができないのに対し、第３実施形態のディスプレイ装置３１では、図９に示すように、シート光透過領域６ａを変更可能な光透過領域変更機構３９を備えている点である。
【００４５】
この光透過領域変更機構３９は、遮光シート３６の両端側が巻回された一対のローラ３２と、これらローラ３２を回転駆動するモータ等の駆動部３３と、を備えた可動機構である。
なお、遮光シート３６は、第２の導光板５上を該第２の導光板５に沿って移動可能にするため、両面テープでは固定されていない。
【００４６】
この第３実施形態のディスプレイ装置３１では、駆動部３３により一対のローラ３２を回転駆動して、第１の導光板３上に配されている遮光シート３６の部分を一方のローラ３２に巻き取ると共に他方のローラ３２に巻回されている遮光シート３６の部分を第１の導光板３上まで移動させることで、第１の導光板３上に配されるシート光透過領域６ａを異なるものに容易に変更することができる。このように、第１の導光板３上に配される遮光シート３６が内部で移動してシート光透過領域６ａが変更されるので、発光部構造をあらわにすることなく、絵柄を変更表示させることができる。したがって、シート光透過領域６ａの形状による絵柄を容易に変更可能であるので、利用者の嗜好をより満足させることができる。
【００４７】
なお、本発明は上記各実施形態に限定されるものではなく、本発明の趣旨を逸脱しない範囲において種々の変更を加えることができる。
【００４８】
例えば、上記各実施形態では、外側カバー部材の全体が透明又は半透明なカバー光透過領域であるとしたが、一部がカバー光透過領域となっており、カバー光透過領域以外に印刷等が施されて遮光されているものでも構わない。また、カバー光透過領域自体の形状を絵柄等の形状にしても構わない。なお、これらの場合でも、少なくともシート光透過領域の直上には、カバー光透過領域が配置される。
【００４９】
また、上記第２実施形態では、第２の導光板が複数に分割された導光エリアを有し、これに対応して第２の光源が制御されるが、第１の導光板についても、複数の長孔やスリットで複数に分割された導光エリアを設け、第１の光源が、導光エリア毎に対応して端面に複数配されていると共に、光源制御部によって導光エリア毎に輝度又は発光色を設定可能にしても構わない。このように第２の導光板だけでなく、第１の導光板も複数の導光エリアに分割して第１の光源を制御することで、より多様な視覚的効果を得ることができる。なお、第１の導光板だけを複数の導光エリアに分割した場合も、第２の導光板だけを複数の導光エリアに分割した場合と異なる視覚的効果を得ることが可能である。
【００５０】
第３実施形態では、ローラや駆動部を用いた光透過領域変更機構によって遮光シートを移動させてシート光透過領域を変更しているが、他の変更手段によっても構わない。例えば、筐体の側部が開口可能とされ、外側カバー部材を取り外さずに遮光シートを筐体の側部から抜き差しすることで交換可能にした光透過領域変更機構を採用しても良い。
【００５１】
また、上記各実施形態では、ディスプレイ装置を携帯電話機の筐体の外側に表示面を向けて設けているが、別の場所に設けても構わない。例えば、液晶表示パネルの下部に通常設置されるバックライトの代わりに本発明のディスプレイ装置を設置しても構わない。この場合、外側カバー部材となる液晶表示パネルの表示に応じてディスプレイ装置のイルミネーションパターンを変えることで、さらに多様な視覚的効果を得ることができる。
【００５２】
さらに、上記各実施形態では、本発明のディスプレイ装置を折り畳み型の携帯電話機に設けているが、他の形式の携帯電話機に搭載しても構わない。例えば、いわゆるキャンディーバータイプ（ストレート型）の携帯電話機やスライドタイプの携帯電話機の背面等に本発明のディスプレイ装置を搭載しても良い。
【００５３】
また、第１の光源及び第２の光源としてＬＥＤ光源を採用することが好ましいが、蛍光ランプ等の他の光源を採用しても構わない。
また、本発明のディスプレイ装置を携帯電話機に搭載したが、ＰＤＡ、ノート型パーソナルコンピュータ（ノートＰＣ）や電子辞書等の他の電子機器に採用しても構わない。さらに、本発明のディスプレイ装置を、壁掛けディスプレイや看板等の単体で使用しても構わない。
【図面の簡単な説明】
【００５４】
【図１】本発明に係るディスプレイ装置及び電子機器の第１実施形態において、ディプレイ装置を示す平面図である。
【図２】図１のＡ−Ａ線矢視断面図である。
【図３】第１実施形態において、第２の光源だけを点灯させて面発光させた際の携帯電話機を示す斜視図である。
【図４】第１実施形態において、第１の光源だけを点灯させて点発光させた際の携帯電話機を示す斜視図である。
【図５】本発明に係るディスプレイ装置及び電子機器の第２実施形態において、ディプレイ装置を示す平面図である。
【図６】図５のＢ−Ｂ線矢視断面図である。
【図７】第２実施形態において、導光板を七色モードで発光させたときの携帯電話機を示す上面図である。
【図８】第２実施形態において、導光板を白色モードで発光させたときの携帯電話機を示す上面図である。
【図９】本発明に係るディスプレイ装置及び電子機器の第３実施形態において、ディプレイ装置を示す簡略的な断面図である。
【符号の説明】
【００５５】
１，２１，３１…ディスプレイ装置、２…第１の光源、３…第１の導光板、４，２４…第２の光源、５，２５…第２の導光板、６，３６…遮光シート、６ａ…シート光透過領域、７…外側カバー部材、７ａ…カバー光透過領域、９，２９…携帯電話機（電子機器）、１０…筐体、２５ａ…長孔、２５ｂ…導光エリア
【図１】
2010072590.tif 000003
【図２】
2010072590.tif 000004
【図３】
2010072590.tif 000005
【図４】
2010072590.tif 000006
【図５】
2010072590.tif 000007
【図６】
2010072590.tif 000008
【図７】
2010072590.tif 000009
【図８】
2010072590.tif 000010
【図９】
2010072590.tif 000011